(57)【要約】  電気泳動ディスプレイ装置は、前記ディスプレイが第１のセットの行グループ５２としてアドレスされ、同じ列データセットが前記行グループの各行に同時に印加される第１のディスプレイアドレシングサイクル（図３Ａ）を実行することにより駆動される。行グループ５２の数は、少なくとも１つの行グループが複数の行を有するように行５０の数より小さい。少なくとも１つの他のディスプレイアドレシングサイクル（図３Ｂ）は、独立した画像データで前記ディスプレイの全ての行をアドレスする。この方法は、同じ列データを使用して一緒に行のグループをアドレスし、これによりアドレシング時間を減少させる。画像は、前記第１のアドレシングサイクル後に、特に低い垂直解像度を持つ、低解像度画像として提示される。後のアドレシングサイクルは、この場合、最終的な所望の画像まで進行的に画質を向上させる。
2010503014.tif 000002
【特許請求の範囲】
【請求項１】
行及び列のディスプレイ画素のアレイを有するパッシブマトリクス電気泳動ディスプレイ装置を駆動する方法において、
前記ディスプレイが行グループの第１のセットとしてアドレスされ、同じ列データセットが前記行グループの各行に同時に印加され、少なくとも１つの行グループが複数の行を有するように前記行グループの数が行の数より小さい第１のディスプレイアドレシングサイクルを実行するステップと、
少なくとも１つの他のディスプレイアドレシングサイクルを実行するステップと、
を有し、最終アドレシングサイクルにおいて、前記ディスプレイの全ての行が独立した画像データでアドレスされる、方法。
【請求項２】
各行グループが複数の行を有する、請求項１に記載の方法。
【請求項３】
各行グループが同数の行を有する、請求項２に記載の方法。
【請求項４】
前記第１の行グループが、第１の複数の隣接した行を有し、各次のグループが、次の複数の隣接した行を有する、請求項２又は３に記載の方法。
【請求項５】
行グループがインタレースされる、請求項２又は３に記載の方法。
【請求項６】
画像コンテンツに基づいていずれの行を一緒にグループ化するかを決定するステップを更に有する、請求項２又は３に記載の方法。
【請求項７】
前記いずれの行を一緒にグループ化するかを決定するステップが、前記行に沿った各列位置において前記画像コンテンツに関して互いからの最小偏差を持つ行をグループ化するステップを有する、請求項６に記載の方法。
【請求項８】
前記いずれの行を一緒にグループ化するかを決定するステップが、各行グループに対して、１つの利用可能な行を選択し、各列位置における前記画像コンテンツ間の差分の二乗の和を使用して前記１つの行から最小に離れる所定数の他の利用可能な行を選択するステップを有する、請求項７に記載の方法。
【請求項９】
各行グループに対する共通の行コンテンツが、
（ｉ）前記行内の各列位置に対する前記行グループ中の最小の画像コンテンツ、
（ｉｉ）前記行内の各列位置に対する前記行グループ中の最大の画像コンテンツ、又は
（ｉｉｉ）前記行内の各列位置に対する前記行グループ中の平均の画像コンテンツ、
の１つであるように選択される、請求項１ないし８のいずれか一項に記載の方法。
【請求項１０】
前記少なくとも１つの他のディスプレイアドレシングサイクルにおいて、既に書き込まれた画像コンテンツと異なる画像コンテンツを必要とする行のみが再びアドレスされる、請求項１ないし９のいずれか一項に記載の方法。
【請求項１１】
電気泳動ディスプレイ装置において、前記ディスプレイ装置が、行及び列のディスプレイ画素のアレイと、前記ディスプレイ装置を制御するコントローラとを有し、前記コントローラが、請求項１ないし１０のいずれか一項に記載の方法を実施するように構成される、ディスプレイ装置。
【請求項１２】
請求項１ないし１０のいずれか一項に記載の方法を実施するように構成される、電気泳動ディスプレイ装置用のディスプレイコントローラ。
【発明の詳細な説明】
【技術分野】
【０００１】
本発明は、電気泳動ディスプレイ装置に関する。
【背景技術】
【０００２】
電気泳動ディスプレイ装置は、選択的な光散乱又は吸収機能を提供するために電界内の荷電粒子の移動を使用する双安定ディスプレイ技術の一例である。
【０００３】
一例において、白い粒子が、吸収性液体中に懸濁しており、電界が、前記粒子を装置の表面に持っていくのに使用されることができる。この位置において、前記粒子は、光散乱機能を実行することができ、これによりディスプレイは白く見える。上表面から離れる移動は、前記液体の色、例えば黒が見られることを可能にする。他の例において、２つのタイプの粒子、例えば黒い負に帯電した粒子と白い正に帯電した粒子とが透明流体中に懸濁されることができる。複数の異なる可能な構成が存在する。
【０００４】
電気泳動ディスプレイ装置が、双安定性（電圧が印加されない場合に画像が保持される）の結果として低電力消費を可能にし、バックライト又は偏光子に対する必要性が存在しないので薄く明るいディスプレイ装置が形成されることを可能にすることができると認識されている。前記ディスプレイ装置は、プラスチック材料から作成されることもでき、このようなディスプレイの製造における低コストのオープンリール式の加工の可能性も存在する。
【０００５】
コストが可能な限り低く保たれるべきである場合、パッシブアドレシング方式が使用される。ディスプレイ装置の最も単純な構成は、セグメント化された反射型ディスプレイであり、このタイプのディスプレイが十分である多くのアプリケーションが存在する。セグメント化された反射型電気泳動ディスプレイは、低電力消費及び良好な輝度を持ち、動作において双安定でもあり、したがって前記ディスプレイがオフにされる場合でさえ情報を表示することができる。
【０００６】
しかしながら、改良された性能及び多用途性は、マトリクスアドレシング方式を使用して提供される。パッシブマトリクスアドレシングを使用する電気泳動ディスプレイは、典型的には、下側電極層、ディスプレイ媒体層、及び上側電極層を有する。バイアス電圧は、前記上側及び／又は下側電極層の電極に選択的に印加され、前記バイアスされる電極に関連した前記ディスプレイ媒体の部分の状態を制御する。
【０００７】
他のタイプの電気泳動ディスプレイ装置は、いわゆる"インプレーンスイッチング"を使用する。このタイプの装置は、ディスプレイ材料層における選択的な横方向の前記粒子の移動を使用する。前記粒子が横電極に向かって移動される場合、開口が、前記粒子間に現れ、前記開口を通して下にある表面が見られることができる。前記粒子がランダムに分散させられる場合、前記粒子は、前記下にある表面への光の通路を遮断し、前記粒子の色が見られる。前記粒子は色付けされることができ、前記下にある表面は黒又は白であることができ、あるいは前記粒子が黒又は白であることができ、前記下にある表面が色付けされることができる。
【０００８】
インプレーンスイッチングの利点は、前記装置が、透過型動作又は半透過型動作に対して適合されることができることである。特に、前記粒子の移動は、光の通路を作成し、これにより反射型及び透過型の両方の動作がこの材料を通して実施されることができる。これは、反射型動作ではなくバックライトを使用する照明を可能にする。インプレーン電極は、全て１つの基板上に設けられてもよく、あるいは両方の基板が電極を備えてもよい。
【０００９】
アクティブマトリクスアドレシング方式は、電気泳動ディスプレイにも使用され、これらは、一般に、速い画像更新が高解像度グレイスケールを持つ明るいフルカラーディスプレイに対して望ましい場合に必要とされる。このような装置は、看板及びビルボードディスプレイアプリケーションに対して、並びに電子窓及び環境照明アプリケーションにおける（画素化）光源として開発されている。色は、カラーフィルタを使用して又は減法混色原理により実施されることができ、ディスプレイ画素は、この場合、単純にグレイスケール装置として機能する。以下の記載は、グレイスケール及びグレイレベルに言及するが、これが単色ディスプレイ動作のみを提案しているわけではないと理解される。
【００１０】
本発明は、パッシブマトリクスディスプレイ技術に適用する。
【００１１】
電気泳動ディスプレイは、典型的には、複雑な駆動信号により駆動される。グレイレベルを切り替えられるべき画素に対して、しばしば初めにリセットフェーズとして白又は黒に切り替えられ、次いで最終的なグレイレベルに切り替えられる。グレイレベルからグレイレベルへの遷移及び黒／白からグレイレベルへの遷移は、黒から白、白から黒、グレイから白又はグレイから黒への遷移より遅く、より複雑である。
【００１２】
電気泳動ディスプレイに対する典型的な駆動信号は、複雑であり、異なるサブ信号、例えば遷移を加速する、画質を改良する等を目的とする"振動"パルスからなることができる。
【００１３】
既知の駆動方式の他の考察は、ＷＯ２００５／０７１６５１及びＷＯ２００４／０６６２５３において見つけられることができる。
【００１４】
電気泳動ディスプレイに関する１つの大きな問題は、画像に対して前記ディスプレイをアドレスするのにかかる時間である。このアドレシング時間は、画素出力が、画素セルに対する粒子の物理的位置に依存し、前記粒子の移動が有限の時間を要するという事実による。アドレシング速度は、様々な方策、例えば短距離の画素の移動のみを要する画像データの画素ごとの書き込みを提供し、前記粒子を画素面積にわたり拡散する平行粒子拡散段階が後に続くことにより増加されることができる。
【００１５】
これらの方策を用いても、大きなパッシブマトリクスディスプレイに対するディスプレイアドレシングは、数分ではなく数時間かかる。これは、大きな電気泳動ディスプレイの使用を、まれにしかリフレッシュされない静止画像の表示、例えばビルボードアプリケーションに限定している。
【発明の概要】
【発明が解決しようとする課題】
【００１６】
したがって、このようなパッシブマトリクスディスプレイ装置に対するアドレシング時間を減少する必要がある。
【課題を解決するための手段】
【００１７】
本発明によると、行及び列のディスプレイ画素のアレイを有する電気泳動ディスプレイ装置を駆動する方法が提供され、前記方法が、
前記ディスプレイが第１のセットの行グループとしてアドレスされ、同じ列データセットが前記行グループの各行に同時に印加され、少なくとも１つの行グループが複数の行を有するように前記行グループの数が行数より小さい、第１のディスプレイアドレシングサイクルを実行するステップと、
少なくとも１つの他のディスプレイアドレシングサイクルを実行するステップと、
を有し、最終アドレシングサイクルにおいて前記ディスプレイの全ての行が独立した画像データでアドレスされる。
【００１８】
この方法は、同じ列データを使用して行のグループを一緒にアドレスし、これによりアドレシング時間を減少する。画像は、前記第１のアドレシングサイクルの後に、特に低い垂直解像度を持つ、低解像度画像として提示される。後のアドレシングサイクルは、最終的な所望の画像まで進行的に画質を改良する。各行グループは、複数の行、例えば同数の行を有しうる。１つの好適な例において、各行グループは３つの行を含む。
【００１９】
前記第１の行グループは、第１の複数の隣接した行を有することができ、各次の行グループは、次の複数の隣接した行を有することができる。これは、単純な順次アドレシング方法を提供するが、前記第１のアドレシングサイクルの後に最良品質画像を与える最適なグループ化を提供しないかもしれない。
【００２０】
したがって、前記行グループはインタレースされることができる。このインタレースは一様であってもよく、又は画像コンテンツに基づいていずれの行を一緒にグループ化するか決定されてもよい。これは、前記画像が、どのように前記行を最良にグループ化し、前記第１のアドレシングサイクルの後に最良画質の出力画像を得るかを決定するのに使用されることを可能にする。
【００２１】
画像コンテンツが使用される場合、行に沿った各列位置において前記画像コンテンツに関して互いからの最小偏差を持つ行がグループ化される。換言すると、互いに最も近くマッチする行のグループが選択される。例えば、行の各グループに対して、１つの利用可能な行が選択されることができ、各列位置における前記画像コンテンツ間の差の二乗の和を使用して前記１つの行から最小に離れる所定数の他の利用可能な行が選択される。
【００２２】
前記グループの行をアドレスするのに使用されるべき列データセットは、
（ｉ）前記行内の各列位置に対する前記行のグループ中の最小の画像コンテンツ、
（ｉｉ）前記行内の各列位置に対する前記行のグループ中の最大の画像コンテンツ、又は
（ｉｉｉ）前記行内の各列位置に対する前記行のグループ中の平均画像コンテンツ、
の１つであるように選択されることができる。
【００２３】
代わりに、異なる機能が、例えば前記行グループ内にない近隣画素からの情報を考慮して使用されてもよく、これにより知覚される輝度、コントラスト又は解像度が改良されることができる。前記列データセットは、前記画素内の粒子移動を容易化するために選択されてもよい。
【００２４】
前記列データセットは、静的であってもよく、前記グループ内の全ての行に印加される同じ行アドレス信号でありうる。しかしながら、前記第１のアドレシングサイクルにより生成される画像の品質を更に向上させるために、異なる行アドレス信号が、前記列データセットの同時印加中に前記行グループの異なる行に印加されることができる。
【００２５】
これは、異なる行が、同じ列データセットに異なって応答することを可能にし、これにより前記画像が所望の最終画像に近くなることができる。
【００２６】
本発明は、電気泳動ディスプレイ装置であって、行及び列のディスプレイ画素のアレイと、前記ディスプレイ装置を制御し、本発明の方法を実施するように構成されたコントローラとを有する当該ディスプレイ装置をも提供する。
【００２７】
本発明は、本発明の方法を実施するように構成された電気泳動ディスプレイ装置用ディスプレイコントローラをも提供する。
【００２８】
本発明の例は、添付の図面を参照して詳細にここに記載される。
【図面の簡単な説明】
【００２９】
【図１】基本的な技術を説明する１つの既知のタイプの装置を概略的に示す。
【図２】本発明をより詳細に説明するのに使用される他の既知のタイプの装置を示す。
【図３Ａ】本発明の方法によってどのように第１のセットの出力画像が形成されるかを示す。
【図３Ｂ】本発明の方法によってどのように第１のセットの出力画像が形成されるかを示す。
【図４Ａ】本発明の方法によってどのように第２のセットの出力画像が形成されるかを示す。
【図４Ｂ】本発明の方法によってどのように第２のセットの出力画像が形成されるかを示す。
【図５】本発明の方法による実際の出力画像のセットを示す。
【図６】本発明のディスプレイ装置を示す。
【発明を実施するための形態】
【００３０】
同じ参照符号は、異なる図において同じ層又は構成要素を示すのに使用され、説明は繰り返されない。
【００３１】
本発明は、第１のディスプレイアドレシングサイクルが、第１のセットの行グループとして前記ディスプレイをアドレスし、同じ列データセットが、前記行グループの各行に同時に印加される、パッシブマトリクスディスプレイ装置及び駆動方法を提供する。これは、最初の低品質画像出力を提供し、少なくとも１つの他のディスプレイアドレシングサイクルが、所望の出力画像を生成するのに使用される。これは、最初の低品質出力画像を得るアドレシング時間を減少させる。
【００３２】
本発明をより詳細に記載する前に、本発明が関連するディスプレイ装置のタイプの一例が、簡潔に記載される。
【００３３】
図１は、ベース基板２、２つの透明基板３、４間に存在する電子インクを持つ電気泳動フィルム、例えばＰＥＴ（ポリエチレンナフタレート）を有する電気泳動ディスプレイ装置１の一部の断面を概略的に示し、例えば少数のディスプレイ素子のみを示す。前記基板の一方３は、透明画素電極５を備え、他方の基板４は、透明対向電極６を備える。
【００３４】
前記電子インクは、約１０ないし５０ミクロンの複数のマイクロカプセル７を有する。各マイクロカプセル７は、流体Ｆ中に懸濁した正に帯電した白い粒子８及び負に帯電した黒い粒子９を有する。正の電界が画素電極５に印加される場合、白い粒子８は、マイクロカプセル７の対向電極６に向けられた側に移動し、前記ディスプレイ素子は、観察者に見えるようになる。
【００３５】
同時に、黒い粒子９は、前記観察者に隠されるマイクロカプセル７の反対側に移動する。画素電極５に負の電界を印加することにより、黒い粒子９は、マイクロカプセル７の対向電極６に向けられた側に移動し、前記ディスプレイ素子は観察者にとって暗くなる（図示されない）。電界が除去される場合、粒子８、９は、取得された状態に留まり、前記ディスプレイは、双安定特性を示し、実質的に電力を消費しない。
【００３６】
前記ディスプレイは、行ドライバ及び列ドライバを使用して駆動される。
【００３７】
本発明は、パッシブマトリクスディスプレイに関する。パッシブマトリクス方式が、閾値電圧応答を使用して、既にアドレスされた他の行に影響を与えないように１行の画素のアドレシングを可能にすることができることは、既知である。この場合、行及び列電圧の組み合わせは、前記閾値が、アドレスされている画素においてのみ超過され、他の全ての画素が、以前の状態に保持されることができるようにされる。
【００３８】
図１は、横変位電気泳動ディスプレイを示す。本発明は、インプレーンスイッチングパッシブマトリクス透過型ディスプレイ装置における好適な実施例を参照してより詳細に記載される。
【００３９】
図２は、本発明を説明するのに使用されるタイプのディスプレイ装置３０の一例を示し、１つの電気泳動ディスプレイセルを示す。
【００４０】
前記セルは、側壁３２に囲まれ、電気泳動インク粒子３４が収容されるセル体積を規定する。図３の例は、光源（図示されない）からカラーフィルタ３８を通る照明３６を持つインプレーンスイッチング透過型画素レイアウトである。
【００４１】
前記セル内の前記粒子の位置は、共通電極４０と、列導体により駆動される蓄積電極４２と、行導体により駆動されるゲート電極４６とを有する電極構成により制御される。
【００４２】
電極４０、４２及び４６の相対的電圧は、前記粒子が静電力の下で蓄積電極４２に移動するか又は駆動電極４０に移動するかを決定する。蓄積電極４２（コレクタとしても既知である）は、前記粒子が光シールド４４により観察から隠される領域を規定する。蓄積電極４２上の粒子を用いて、前記画素は、照明３６が前記ディスプレイの反対側の前記観察者まで通ることを可能にする光学的透過状態であり、画素開口は、全体的な画素寸法に対する光透過開口のサイズにより規定される。
【００４３】
リセットフェーズにおいて、前記粒子は、蓄積電極４２に集められる。前記ディスプレイのアドレシングは、電極４０に向けて前記粒子を駆動することを含み、これにより前記粒子は、画素観察面積内に拡散される。図３のレイアウトは、下で粒子移動性質の数学的解析を提供するのに使用される。
【００４４】
本発明は、画像が複数のフレーム（"アドレシングサイクル"と称される）において構築される駆動方法を提供し、前記フレームの少なくとも１つにおいて１より多いラインが、同じ列データセットで同時にアドレスされる。
【００４５】
少なくとも第１のフレームが、同時にアドレスされるべき複数のラインに対して選択される。結果として、前記第１のフレームの終了時に、低い垂直解像度を持つ低コントラスト画像が現れる。１以上の後のフレームにおいて、進行的に高解像度画像が、より少ない行を同時にアドレスすることにより実現されることができる。少なくとも１つの最終フレームにおいて、全ての行は、最大解像度ピクチャを提供するように個別にアドレスされる。
【００４６】
図３は、このアプローチを示し、図３Ａにおいて第１の低垂直解像度フレームを示し、図３Ｂにおいて第２の通常通りアドレスされた最大解像度フレームを示す。図３Ａにおいて、行アドレスライン５０が示され、前記行は、３つの行のグループ５２に分割して示される。３行の各連続するグループ間で共有される網掛けは、これらの行が同じ列データでアドレスされることを示すために使用される。結果として、単一ライン時間は、各行グループ内の３つの行をアドレスするのに使用されることができる。
【００４７】
前記観察者が速い更新を知覚するように、前記画像が複数のフレームにおいて構築されるので、第１のフレーム後に存在する画像が可能な限り最終画像に近いことが重要である。以下の更新は、前記画像を構築する一部なのではなく、既に存在する画像を単に改良するように知覚されるべきである。
【００４８】
一度にp個の行がN個のラインを持つディスプレイに対してアドレスされる場合、垂直解像度は、倍数pで低減される。図３の例は、行1-pが初めにアドレスされ、次いで行p+1ないし2pがアドレスされるなどのアプローチを示す。これは、画像コンテンツの解析を必要としない単純なアドレシング方式を提供するが、一般に、これは、前記最終画像に最も近い画像を生成しない。
【００４９】
代わりに、一度に前記ディスプレイ内のいかなるp個のラインを選択することも可能であり、順次的なラインに対する必要性がない。したがって、前記行グループは、インタレースされることができ、一緒にグループ化されるべき行は、前記画像コンテンツに基づいて選択されることができる。
【００５０】
図４は、再び一度にアドレスされる３行のグループを持つこのアプローチを示す。図４Ａは、同じ時間に、したがって同じ列データセットでアドレスされる行を同じ網掛けで再び示す。したがって、再び、行のグループ５４が存在する。図４Ｂは、全ての行を示し、これら全ての行が個別にアドレスされるのを示す。
【００５１】
いずれの行を一緒にグループ化するかを決定するために、行に沿った各列位置において前記画像コンテンツに関して互いからの最小偏差を持つ行が、選択されることができる。
【００５２】
これを達成する１つの信号処理オプションは、以下に述べられる。
【００５３】
前記ディスプレイがN個のラインからなり、一度にp個のラインでアドレスされ、G個のグレイスケールを持つと仮定する。
【００５４】
各画素はグレイレベルgijを持ち、ここでiは行番号であり、jは列番号である。各行kに対して、数値Fkが、
Fk＝Σj(g1j-gkj)2
により規定されて計算される。
【００５５】
これは、行kと第１の行との間の差分の二乗の和を表し、前記行に沿った各画素に対して（すなわち全ての列jに対して）二乗された差分を合計する。
【００５６】
前記p個の行は、この場合、Fの最小値で選択されることができる（もちろんF1＝０が最小値である）。したがって、第１の行グループは、行１及びp-1個の他の行を有する。これらp個の行の第１のセットに対して前記列に印加されるべきグレイレベルは、
各列内の前記行セットの最小グレイレベル、
各列内の前記行セットの平均グレイレベル、又は
各列内の前記行セットの最大グレイレベル、
にセットされることができる。
【００５７】
各列における前記グレイレベルの異なる機能は、例えば第２のフレームにおける画素をより容易に空にすることを可能にし、又はより高い知覚されるコントラスト、若しくはより高い知覚される輝度を達成し、又はクロストークを減少することにより、ディスプレイ性能を最適化する。
【００５８】
この手順は、この場合、残りのN-p個のラインに対して、F、すなわち前記残りのラインのセットにおける第１のラインのグレイレベルと前記残りのラインのセットにおける他のラインのグレイレベルとの間の差分の二乗の和を計算することにより繰り返される。このように、駆動シーケンスは、より少数のラインが計算に残るので増加的により容易になるN/p-1個の計算ステップにおいて決定されることができる。全体的に、Fの値は、N2/2p回計算されなければならない。
【００５９】
図５は、pの３つの異なる値に対して、画像に対する単純な順次アドレシング（図３）及び非順次アドレシング（図４）の結果を示す。
【００６０】
原画像は６０として示される。前記単純な順次的方式に対する最初の低解像度アドレシングサイクル後の画像は、それぞれp＝３、５及び１５に対して６２、６４及び６６として示される。
【００６１】
上で概説された前記インタレース方式に対する最初の低解像度アドレシングサイクル後の画像は、それぞれp＝３、５及び１５に対して６８、７０及び７２として示される。
【００６２】
幾らかのアーチファクト（水平ストライプ）は、前記低解像度画像出力に持ち込まれるが、これらは、レンダリングされた画像と前記原画像を比較する追加の"水平ストライプ検出"アルゴリズムにより、又は前記アルゴリズムを改良することにより容易に除去されることができる。
【００６３】
典型的には、前記第１のアドレシングサイクル後の画像は、pの小さい値（３ないし５）に対してかなり許容可能であり、p≧１０に対して多すぎるアーチファクトを含む。５倍速い更新速度が、したがって、利用可能である。
【００６４】
もちろん、記載された単純なアルゴリズムに対する多くの変型例が存在する。例えば、最も詳細な水平情報、又は−既知であれば−最重要情報、又は前の画像から最も異なる画像の部分を含むラインをアドレスし始めることを選択することが可能である。
【００６５】
前記低解像度画像が書き込まれた後に、幾つかの行が既に正しく書き込まれることができるので、次又は最後のアドレシングサイクルにおいて完全な画像をアドレスしないことが可能でありうる。前記画像が補正を必要とするラインの数は、かなり小さく、したがって完全な更新時間（フレーム１＋フレーム２）でさえ、従来の駆動を用いるより小さくなることができる。
【００６６】
本発明は、インプレーンスイッチング構成に関連して記載されているが、この概念は、他の構成に拡張されることができる。
【００６７】
ディスプレイの一例は、特定の向きに行及び列を与えられている。前記向きは、しかしながら、いくらか任意である。前記行は、前記例において、選択信号が印加される導体を与えられ、前記列は、データ信号が印加される導体を与えられる。これらは、入れ替えられることができ、したがって、"行"が上から下に走ることができ、"列"が左右に走ることができると理解されるべきである。請求項の範囲は、これに従って理解されるべきである。
【００６８】
図６は、本発明のディスプレイ８０が、画素のアレイと、行ドライバ８４と、列ドライバ８６と、コントローラ８８とを持つディスプレイパネル８２として実施されることができることを概略的に示す。
【００６９】
一緒にグループ化する行の数は、所要の画質と比較した第１の画像に対する所要のアドレシング時間に依存して選択されることができる。前記数は、典型的には、３、４又は５であることができる。
【００７０】
上に概説されたアプローチは、行アドレシング期間の持続時間全体にわたり前記行グループに同じかつ一定の列データセットを印加し、これにより前記グループの行が全て全く同じようにアドレスされる。しかしながら、これは、必要条件ではなく、前記列データセットは共有されるが、前記グループ内の異なる行を異なってアドレスすることは可能である。これは、前記第１のアドレシングサイクル後の画像の品質が更に改良されることを可能にすることができる。
【００７１】
行及び列信号は、一定の電圧を有さないかもしれないが、時間に対して変化しうる及び／又はパルス電圧信号を有しうる。
【００７２】
様々な修正例が当業者に明らかである。
【図１】
2010503014.tif 000003
【図２】
2010503014.tif 000004
【図３Ａ】
2010503014.tif 000005
【図３Ｂ】
2010503014.tif 000006
【図４Ａ】
2010503014.tif 000007
【図４Ｂ】
2010503014.tif 000008
【図５】
2010503014.tif 000009
【図６】
2010503014.tif 000010
【国際調査報告】
2010503014.tif 000011
2010503014.tif 000012